(57)【要約】【課題】  会話音声再生中に、直前の会話フレーズやセンテンスだけをリピート再生できるようにする。【解決手段】  音声再生機構および音声再生回路１１で再生された会話音声データを一時記憶回路１７に書き込むとともに、再生音声信号レベル変化検出回路１４で常時監視しておき、無音レベルから有音レベルへの変化を検出すると経過時間カウンタ１５をリセットすると同時にカウントを開始する。リピート再生ボタンが押下されると経過時間カウンタ１５のカウント値を経過時間カウンタ／アドレス変換回路１６によって一時記憶回路１７のアドレスに変換し、該アドレスを用いて一時記憶回路１７から会話音声データを読み出し、リピート再生する。【選択図】        図１
2005092169.tif 000002
【特許請求の範囲】
【請求項１】
リピート再生機能を有する音声再生装置において、音声再生機構および音声再生回路と、再生音声の無音レベルから有音レベルへの変化を検出するための再生音声信号レベル変化検出回路と、前記変化を検出した時刻からの経過時間をカウンタするための経過時間カウンタと、リピート再生が指示された時刻での前記経過時間カウンタ値をアドレス値に変換するための経過時間カウンタ／アドレス変換回路と、前記再生音声データを一時記憶しておくための一時記憶回路とを具備し、前記アドレス値を用いて前記一時記憶回路から前記再生音声データを読み出すことにより、会話フレーズやセンテンスの単位でリピート再生できることを特徴とする音声再生装置。
【請求項２】
前記音声信号レベル変化検出回路と、前記経過時間カウンタと、前記経過時間カウンタ／アドレス変換回路の代わりに、中央演算装置を具備することを特徴とする請求項１に記載の音声再生装置。
【請求項３】
前記音声再生機構および音声再生回路が、前記一時記憶回路の機能を含むことを特徴とする請求項１に記載の音声再生装置。
【請求項４】
前記経過時間カウンタと前記経過時間カウンタ／アドレス変換回路の代わりに、アドレスリセット回路を具備し、前記音声信号レベル変化検出回路で前記変化を検出したとき、前記アドレスリセット回路を介して前記一時記憶回路への前記再生音声データの書き込みアドレスを０にリセットし、リピート再生時には前記一時記憶回路のアドレス０から前記再生音声データを読み出すことを特徴とする請求項１に記載の音声再生装置。
【発明の詳細な説明】
【発明の詳細な説明】
【技術分野】
【０００１】  本発明はＩＣメモリ等の記録媒体に音声信号を記録し、それをリピート再生する機能をもつ会話音声再生装置に関するものである。
【背景技術】
【０００２】  カセットテープレコーダやＣＤプレーヤを利用した語学学習において、しばしば学習者は会話音声記録の一部をリピート再生して、何度も同じフレーズやセンテンスを繰り返し聞くことによって、学習効果をあげている。以前はテープレコーダの巻戻しボタンを適当な時間だけ押下してテープを巻戻すことによってリピート再生していた。しかし、この方法によると、巻戻したい位置まで正確に位置合わせすることが困難であったり、巻戻し時間がかかるなどの問題があった。これを解決するために、ＩＣリピート機能をもつカセットテープレコーダが発明され、市販され広く利用されている（特許文献１）。この種のテープレコーダでは、テープが再生されるのと並行して、再生音声をＩＣメモリに記憶させておき、学習者がリピートボタンを押下すると、テープ自身を巻戻す代わりに、ＩＣメモリに記憶していた音声信号を再生することによってリピート再生が行われる。リピート再生する時間の長さは、あらかじめ５秒間、１０秒間…というように設定しておき、リピートボタンを押下すると、現在時点からその設定時間だけ過去に溯った時点からの音声信号の再生が繰り返される。このＩＣリピート機能は、きわめて簡単な操作で、時間のロスもなく、何度も同じフレーズやセンテンスを繰り返し聞くことができるので、語学学習者にとって非常に便利なものとなっている。【０００３】  さらに再生中の音の検出レベルが音声として認識されない一定レベル以下の状態で一定時間以上続いた場合のアドレスをセンテンスとセンテンスの間の所定領域とし、その所定領域のアドレスを開始アドレスまたは終了アドレスとして該アドレス間でリピート再生を行う音声再生装置の発明がある（特許文献２）。このリピート機能はＣＤやＭＤ等のアドレスのある記憶媒体に有効であり、何度も同じセンテンスを繰り返し聞くことができ上記のＩＣリピート機能より便利である。【０００４】  一方、最近では、ＣＤプレーヤの普及により、多くの学習教材がカセットテープに加えＣＤを記憶媒体として使用して提供されている。ＣＤでは、基本的に多くのトラックに分かれて会話音声信号が記憶されているので、学習者は意図するトラックへのアクセスが容易に行えるのがカセットテープにはない特徴である。また、リピート再生も、トラック単位で行うことは、きわめて容易である。
【特許文献１】    特開平０７−２０１１９５号公報
【特許文献２】    特開２００１−２０２６７９号公報
【発明が解決しようとする課題】
【０００５】  上記のＩＣリピート機能は、リピート再生が時間単位ではなく、フレーズやセンテンス単位で行えることが学習者にとってより望ましいことが分かる。従来のＩＣリピート機能では、前述のようにあらかじめ決められた時間単位でしか再生できない欠点がある。
【０００６】  また、上記のＣＤやＭＤ等の記憶媒体を対象にしたリピート機能ではセンテンスごとのリピート再生を行うことができるが時間のロスがある。さらにカセットテープなどのアドレス部分を含まない記憶媒体ではリピート再生できない欠点がある。
【０００７】  そこで本発明は語学教材テープやＣＤ等のさまざまな記憶媒体の再生において、フレーズやセンテンス単位でリピート再生を容易かつ迅速に行うことのできる音声再生装置を提供することにある。
【課題を解決するための手段】
【０００８】  本実施の形態によれば、音声再生機構および音声再生回路１１からの音声信号を必要に応じてパワー増幅されて音声出力装置１９から出力される。同時にその音声信号は必要に応じてディジタル化され一時記憶回路１７に書き込まれる。また、再生音声信号レベル変化検出回路１４で、再生された音声信号の会話がない状態から会話のある状態に変化したか否かを監視しており、変化が検出されるたびにタイミング信号を出力する。このタイミング信号は経過時間カウンタ１５に供給され、該カウンタのカウント値を“０”にリセットするととに、“０”からカウントアップを開始するためのトリガー信号の役目をする。
【０００９】  リピート再生ボタンが押下されると、制御回路１２からの制御信号により、再生を停止するとともに一時記憶回路１７に記憶されている音声信号を読み出し、必要に応じてパワー増幅し音声出力装置１９から音声出力する。一時記憶回路１７から読み出す際、そのアドレスは経過時間カウンタ／アドレス変換回路１６から供給される。該変換回路１６は、経過時間カウンタ１５のカウント値と現在の一時記憶回路１７のアドレスから、センテンスやフレーズの開始時点を算出するものである。以上のようにして、センテンスやフレーズ単位で、一時記憶回路１７を用いてリピート再生をおこなうことができる。
【００１０】  また、再生される音声信号を一時記憶回路１７や再生音声信号レベル変化検出回路１４に入力する前に必要に応じてＡ／Ｄ変換することによってさまざまな記憶媒体でリピート再生がおこなえる。
【発明を実施するための最良の形態】
【００１１】  以下図面を参照して本発明の実施の形態について説明する。
【実施例１】
【００１２】  図１に実施例１の音声再生装置のブロック図を示す。【００１３】  本実施の形態に係る音声再生装置は、記憶媒体に記憶されている音声信号を再生するための音声再生機構および音声再生回路１１と、音声再生機構および音声再生回路１１の動作やリピート再生を制御する制御回路１２と、ユーザ操作に応じた操作信号を制御回路１２へ供給する入力装置１３と、再生された音声信号の中に会話があるか否かを検出する再生音声信号レベル変化検出回路１４と、経過時間を計測するための経過時間カウンタ１５と、経過時間カウンタ／アドレス変換回路１６と、ＩＣメモリ等の一時記憶回路１７と、音声切り換え回路１８と、スピーカ等の音声出力装置１９からなる。【００１４】  通常の再生について説明する。入力装置１３の再生ボタンが押下されると、制御回路１２からの制御信号により音声再生機構および音声再生回路１１が再生動作を開始し、記録媒体に記録されている音声信号が再生され、音声切り換え回路１８はこの再生された音声信号を出力し、必要に応じてパワー増幅され音声出力装置１９から出力される。この再生時で再生されている音声信号は音声出力装置１９から出力されると並行して必要に応じてディジタル化されＩＣメモリ等の一時記憶回路１７に書き込まれる。【００１５】  次に、一時記憶回路１７の説明をする。図２にこの一時記憶回路１７の仕様のイメージ図を示す（ここでは仮に００００ｈからＦＦＦＦｈまでのアドレスが示されている）。この一時記憶回路１７はＩＣメモリ等で構成されており、数十秒のディジタル音声信号が記憶できる容量である。音声再生機構および音声再生回路１１から出力される音声信号は必要に応じてディジタル化され一時記憶回路１７のはじめのアドレス（００００ｈ）から順次書き込まれていく。その時、数十秒の容量しかないため、最後のアドレス（ＦＦＦＦｈ）まで音声信号が書き込まれてしまう場合がある。この場合最初のアドレス（００００ｈ）に戻り、再びそこから順次書き込まれていく。そのため記憶されている音声信号は現在再生されている音声信号の一時記憶容量分前の部分である。【００１６】  また音声が再生されている期間は常に再生音声信号レベル変化検出回路１４で、再生された音声信号に会話のない状態（無音レベル）から会話のある状態（有音レベル）に変化したか否かを監視しており、変化が検出されるたびにタイミング信号を出力する。再生音声信号レベル変化検出回路１４の説明を図３を用いて説明する。該検出回路１４はＢ，Ｃ，Ｄのような会話のない状態から会話のある状態に変化した時点でタイミング信号を出力する。該検出回路１４は、Ｂ１からＣの間のように音声信号のレベルがない状態での検出は容易であるがＣ０からＤの間のようにＢＧＭや雑音などのある音声信号においても検出できるものとする。タイミング信号は、会話のフレーズやセンテンスの開始時点で出力されるものであり開始時点を示すものである。このタイミング信号は、経過時間カウンタ１５に供給され、該カウンタ１５のカウント値を“０”にリセットするとともに、“０”からカウントアップを開始するためのトリガー信号の役目をする。つまり該カウンタ１５のカウント値は現在再生中のフレーズやセンテンス��開始時点からの時間を示している。【００１７】  通常の再生時に現在再生中のフレーズやセンテンスをリピートするときは入力装置１３のリピート再生ボタンを押下する（図３のＢＣ間の任意の時点Ｂ０やＣＤ間の任意の時点Ｃ０やＤＦ間の任意の時点Ｄ０で押下される）。このリピート機能は従来のトラック間のリピート再生（図３のＡとＥ間のリピート再生）ではなくセンテンス間のリピート再生（図３のＢとＢ０間やＣとＣ０間やＤとＤ０間のリピート再生）を提供するものである。このリピート機能の処理を図４に示す。【００１８】  ステップ４１で制御回路１２からの制御信号により、音声再生機構および音声再生回路１１の再生と再生音声信号レベル変化検出回路１４の監視・検出と通過時間カウンタ１５のカウントアップを停止する。同時に音声切り換え回路１８に制御回路１２からの制御信号を供給し音声再生機構および音声再生回路１１からの音声信号を音声出力装置１９に出力していたものを一時記憶回路１７からの音声信号を音声出力装置１９に出力するように切り替える。【００１９】  ステップ４２で経過時間カウンタ／アドレス変換回路１６を用い図５に示す経過時間カウンタ／アドレス変換処理を行う。本処理は、経過時間カウンタ１５からのカウント値を用いて再生中であったフレーズやセンテンスの開始時点の音声信号が記憶されている一時記憶回路１７のアドレス（以下「開始アドレス」という）を求める処理である。ステップ５１で一時記憶回路１７からリピート再生ボタンの押下時に示していたアドレス（以下「現在アドレス」という）を該変換回路１６に入力する。ステップ５２で経過時間カウンタ１５からカウント値を該変換回路１６に入力する。ステップ５３では、ステップ５２で入力されたカウント値に対応する一時記憶回路１７のアドレス数（以下「変換アドレス」という）を求める。ステップ５４で現在アドレスと変換アドレスの差を求め開始アドレスとする。しかし一時記憶回路１７の仕様より最後のアドレス（ＦＦＦＦｈ）と最初のアドレス（００００ｈ）をまたがって書き込まれている場合がある。この場合開始アドレスは負の数になってしまう。その判断をステップ５５で行っている。負の数の場合はステップ５６で開始アドレスと一時記憶回路１７の容量に対応するアドレス（以下「容量アドレス」という）の和を求めそれを開始アドレスとして、本処理を終了する。【００２０】  ステップ４３で開始アドレスから現在アドレスまで一時記憶回路１７に記憶されている音声信号を音声切り換え回路１８を介して必要に応じてパワー増幅され音声出力装置１９から出力する。このとき音声信号が一時記憶回路１７の最後のアドレス（ＦＦＦＦｈ）と最初のアドレス（００００ｈ）をまたがっている場合、開始アドレスから順次音声信号を出力し最後のアドレス（ＦＦＦＦｈ）まで出力したら最初のアドレス（００００ｈ）に戻り順次現在アドレスまで出力する。ステップ４４で制御回路１２からの制御信号により、音声切り換え回路１８を音声再生機構および音声再生回路１１からの音声信号を音声出力装置１９に出力するように切り替える。同時に音声再生機構および音声再生回路１１の再生と再生音声信号レベル変化検出回路１４の監視・検出と経過時間カウンタ１５のカウントアップを再開してリピート再生を終了し、再び通常の再生になる。このような処理を行い現在再生中のフレーズやセンテンスのリピートを行う。
【実施例２】
【００２１】  本実施の形態は、中央演算装置６２を用いて実施する。図６に本実施の形態のブロック図を示す。【００２２】  本実施の形態に係る音声再生装置は、記憶媒体に記憶されている音声信号を再生するための音声再生機構および音声再生回路６１と、音声再生機構および音声再生回路６１の動作やリピート再生を制御する中央演算装置６２と、ユーザ操作に応じた操作信号を中央演算装置６２へ供給する入力装置６３と、ＩＣメモリ等の一時記憶回路６４と、スピーカ等の音声出力装置６５と、これらの装置や回路をつなぐバス６６からなる。【００２３】  通常の再生時の中央演算装置６２の制御を説明する。入力装置６３の再生ボタンが押下されると、中央演算装置６２の制御が開始する。中央演算装置６２からの制御信号により音声再生機構および音声再生回路６１が再生動作を開始し、記録媒体に記録されている音声信号が再生され、その再生された音声信号は必要に応じてパワー増幅され音声出力装置６５から出力される。同時に再生された音声信号は音声出力装置６５から出力されると並行して必要に応じてディジタル化され一時記憶回路６４に書き込まれる。該一時記憶回路６４の仕様は実施例１と同じため省略する。また、同時に再生された音声信号は中央演算装置６２内に供給され、再生された音声信号の会話のない状態からある状態へ変化したか否かを監視し検出するとプログラムによって実現された経過時間カウンタへタイミング信号を出力する。会話の有無の監視・検出は実施例１の再生音声信号レベル変化検出回路１４と同じ機能をするので省略する。タイミング信号は経過時間カウンタのカウント値を“０”にする役目をする。プログラムによって実現する経過時間カウンタを図７を用いて説明する。該カウンタは入力装置６３の再生ボタンの押下でスタートする。ステップ７２では、中央演算装置６２内の会話の有無を監視・検出すると供給されるタイミング信号が供給されているか否かを判別している。供給されたときはステップ７３でカウント値を“０”にする。ステップ７４ではカウント値を１カウントアップさせる。また、この処理は入力装置６３のリピート再生ボタンの押下または入力装置６３の停止ボタンが押下されるまで続ける。その判定をステップ７１で行っている。【００２４】  次に、通常の再生時で入力装置６３のリピート再生ボタンが押下され、リピート再生が開始される。このリピート再生の処理を図８を用いて説明する。ステップ８１では、中央演算装置６２からの制御信号により、音声再生機構および音声再生回路６１の再生と会話の有無の監視・検出を停止する。ステップ８２はプログラムによって実現された経過時間カウンタのカウント値から再生中であったフレーズやセンテンスの開始時点の音声信号が記憶されている一時記憶回路６４のアドレスを求める処理だが、図５と同じ処理をするため省略する。ステップ８３では、実施例１と同様にして一時記憶回路６４に記憶されている音声信号を必要に応じてパワー増幅され音声出力装置６５から出力する。音声信号を出力し終わると、ステップ８４で、音声再生機構および音声再生回路６１の再生と会話の有無の監視・検出を再開し、リピート再生を終了し、再び通常の再生を行う。
【実施例３】
【００２５】  本実施の形態は、記憶媒体にフラッシュメモリを用いて実施する。図９に実施例３の音声再生装置のブロック図を示す。【００２６】  この場合、フラッシュメモリはアドレスが存在し、高速にアクセスできるため、フラッシュメモリ自体を一時記憶回路として扱う。【００２７】  本実施の形態に係る音声再生装置は、フラッシュメモリに記憶されている音声信号を再生するための音声再生機構および音声再生回路９１と、音声再生機構および音声再生回路９１の動作やリピート再生を制御する制御回路９２と、ユーザ操作に応じた操作信号を制御回路９２へ供給する入力装置９３と、再生された音声信号の中に会話があるか否かを検出する再生音声信号レベル変化検出回路９４と、経過時間を計測するための経過時間カウンタ９５と、経過時間カウンタ／アドレス変換回路９６と、スピーカ等の音声出力装置９７からなる。【００２８】  通常の再生について説明する。入力装置９３の再生ボタンが押下されると、制御回路９２からの制御信号により音声再生機構および音声再生回路９１が再生動作を開始し、フラッシュメモリに記憶されている音声信号が再生され、必要に応じてパワー増幅され音声出力装置９７から出力される。同時に再生された音声信号は再生音声信号レベル変化検出回路９４に供給され、再生された音声信号の会話のない状態からある状態に変化したか否かを監視し検出するとタイミング信号を出力する。該検出回路９４は実施例１と同じ機能をするので省略する。このタイミング信号は経過時間カウンタ９５に供給され、カウント値を“０”にリセットするとともに“０”からカウントアップを開始するためのトリガー信号の役目をする。【００２９】  次に、通常の再生時で入力装置９３のリピート再生ボタンが押下され、リピート再生が開始される。制御回路９２からの制御信号により、音声再生機構および音声再生回路９１の再生を停止する。経過時間カウンタ９５のカウント値から再生中であったフレーズやセンテンスの開始時点の音声信号が記憶されているフラッシュメモリ上のアドレス（以下「開始アドレス」という）を求める処理を図１０を用いて説明する。ステップ１０１で、リピート再生ボタン押下時のフラッシュメモリのアドレス（以下「現在アドレス」という）を再生音声信号レベル変化検出回路９４に入力する。ステップ１０２で、経過時間カウンタ９５のカウント値を該検出回路９４に入力する。ステップ１０３で入力されたカウント値に対応するフラッシュメモリのアドレス数（以下「変換アドレス」という）を求める。ステップ１０４で現在アドレスと変換アドレスの差を求め開始アドレスとする。この開始アドレスは音声再生機構および音声再生回路９１に供給される。制御回路９２からの制御信号より開始アドレスから通常の再生を開始する。
【実施例４】
【００３０】  本実施の形態は、経過時間カウンタ１５と経過時間カウンタ／アドレス変換回路１６を用いないで実施する。図１１に実施例４の音声再生装置のブロック図を示す。【００３１】  本実施の形態に係る音声再生装置は、記憶媒体に記憶されている音声信号を再生するための音声再生機構および音声再生回路１１１と、音声再生機構および音声再生回路１１１の動作やリピート再生を制御する制御回路１１２と、ユーザ操作に応じた操作信号を制御回路１１２へ供給する入力装置１１３と、再生された音声信号の中に会話があるか否かを検出する再生音声信号レベル変化検出回路１１４と、一時記憶回路１１６のアドレスをはじめにリセットするアドレスリセット回路１１５と、ＩＣメモリ等の一時記憶回路１１６と、音声切り換え回路１１７と、スピーカ等の音声出力装置１１８からなる。【００３２】  通常の再生について説明する。入力装置１１３の再生ボタンが押下されると、制御回路１１２からの制御信号により音声再生機構および音声再生回路１１１が再生動作を開始し、記憶媒体に記憶されている音声信号が再生され、音声切り換え回路１１７はこの音声信号を出力して必要に応じてパワー増幅され音声出力装置１１８から出力される。同時に再生された音声信号は音声出力装置１１８から出力されると並行して必要に応じてディジタル化され一時記憶回路１１６に書き込まれる。【００３３】  この一時記憶回路１１６は、ＩＣメモリ等で構成されており、数十秒のディジタル音声信号を記憶できる容量である。音声再生機構および音声再生回路１１１から出力される音声信号は必要に応じてディジタル化され一時記憶回路１１６のはじめのアドレス（００００ｈ）から順次書き込まれていく。また、再生された音声信号は再生音声信号レベル変化検出回路１１４に供給され、再生された音声信号の会話のない状態からある状態へ変化したか否かを監視し検出するとタイミング信号をアドレスリセット回路１１５に供給する。該検出回路１１４は実施例１と同じ機能をするので省略する。アドレスワセット回路１１５はタイミング信号が供給されると、一時記憶回路１１６のアドレスをはじめのアドレス（００００ｈ）に戻す。そして順次再生された音声信号を書き込む。つまりフレーズやセンテンスの開始時点は一時記憶回路１１６のはじめのアドレスであり、そこから順次フレーズやセンテンスが書き込まれている。【００３４】  次に、通常の再生時で入力装置１１３のリピート再生ボタンが押下され、リピート再生が開始される。ステップ１２１で、制御回路１１２からの制御信号により、音声再生機構および音声再生回路１１１の再生と再生音声信号レベル変化検出回路１１４の監視・検出を停止する。同時に音声切り換え回路１１７に制御回路１１２からの制御信号を供給し音声再生機構および音声再生回路１１１からの音声信号を音声出力装置１１８に出力していたものを一時記憶回路１１６からの音声信号を音声出力装置１１８に出力するように切り換える。ステップ１２２で、はじめのアドレスからリピート再生ボタンの押下時に示したアドレスまで一時記憶回路１１６に記憶されている音声信号を音声切り換え回路１１７を介して必要に応じてパワー増幅され音声出力装置１１８から��力する。ステップ１２３で、制御回路１１２からの制御信号により、音声切り換え回路１１７を音声再生機構および音声再生回路１１１からの音声信号を音声出力装置１１８に出力するように切り換える。同時に音声再生機構および音声再生回路１１１の再生と再生音声信号レベル変化検出回路１１４の監視・検出を再開してリピート再生を終了し、再び通常の再生を行う。
【発明の効果】
【００３５】  以上説明したように本発明によれば、再生音声信号レベル変化検出回路１４で再生される音声信号の会話の有無を監視しており、検出すると経過時間カウンタ１５のカウント値を“０”にしてカウントアップを開始させる。そのカウント値から一時記憶回路１７にあるフレーズやセンテンスの開始位置を求めることから、フレーズやセンテンス単位でリピート再生が行える。
【図面の簡単な説明】
【図１】実施例１に係る音声再生装置の構成ブロック図である。
【図２】一時記憶回路の形式イメージ図である。
【図３】会話音声信号の音声レベルのグラフである。
【図４】実施例１のリピート処理のフローチャート図である。
【図５】実施例１の経過時間カウンタ／アドレス変換処理のフローチャート図である。
【図６】実施例２に係る音声再生装置の構成ブロック図である。
【図７】実施例２のプログラムによる経過時間カウンタのフローチャート図である。
【図８】実施例２のリピート再生処理のフローチャート図である。
【図９】実施例３に係る音声再生装置の構成ブロック図である。
【図１０】実施例３のリピート処理のフローチャート図である。
【図１１】実施例４に係る音声再生装置の構成ブロック図である。
【図１２】実施例４のリピート処理のフローチャート図である。
【符号の説明】
１１  音声再生機構および音声再生回路
１２  制御回路
１３  入力装置
１４  再生音声信号レベル変化検出回路
１５  経過時間カウンタ
１６  経過時間カウンタ／アドレス変換回路
１７  一時記憶回路
１８  音声切り換え回路
１９  音声出力装置
６１  音声再生機構および音声再生回路
６２  中央演算装置
６３  入力装置
６４  一時記憶回路
６５  音声出力装置
６６  バス
９１  音声再生機構および音声再生回路
９２  制御回路
９３  入力装置
９４  再生音声信号レベル変化検出回路
９５  経過時間カウンタ
９６  経過時間カウンタ／アドレス変換回路
９７  音声出力装置
１１１  音声再生機構および音声再生装置
１１２  制御回路
１１３  入力装置
１１４  再生音声信号レベル変化検出回路
１１５  アドレスリセット回路
１１６  一時記憶回路
１１７  音声切り換え回路
１１８  音声出力装置
【図１】
2005092169.tif 000003
【図２】
2005092169.tif 000004
【図３】
2005092169.tif 000005
【図４】
2005092169.tif 000006
【図５】
2005092169.tif 000007
【図６】
2005092169.tif 000008
【図７】
2005092169.tif 000009
【図８】
2005092169.tif 000010
【図９】
2005092169.tif 000011
【図１０】
2005092169.tif 000012
【図１１】
2005092169.tif 000013
【図１２】
2005092169.tif 000014